(57)【特許請求の範囲】
【請求項１】
筒型の容器本体と、前記容器本体を密封し、開閉自在に嵌合する蓋とからなり、前記容器本体内に乾燥剤を収容する防湿容器であって、
前記容器本体は、側壁内面に、斜め下方に向けて延出する傾斜面を備える環状突出部を有し、
前記容器本体は、前記環状突出部の前記傾斜面に接着された透湿防塵シートにより、その開口側の収容室と、その底部側に存し、前記乾燥剤が収容される乾燥剤室とに仕切られている、防湿容器。
【請求項２】
前記容器本体底部に前記乾燥剤室を垂直方向に区画する仕切り板を更に備える、請求項１に記載の防湿容器。
【請求項３】
前記仕切り板の上端部と前記透湿防塵シートとが接触している、請求項２に記載の防湿容器。
【請求項４】
前記環状突出部の傾斜面の内周部に対応する前記透湿防塵シート上面にハーフカット線が形成されている、請求項１に記載の防湿容器。
【発明の詳細な説明】
【技術分野】
【０００１】
本発明は、乾燥剤を備えた防湿容器に関する。
【背景技術】
【０００２】
従来、薬品や食品であって、湿気を厭うものを保存するための容器として、乾燥剤を収容した防湿容器が多数提案されている。これらは、容器の底部に乾燥剤を収容したもの（特許文献１〜７）と、蓋部に乾燥剤を収容したもの（特許文献７及び８）とに大別される。容器の底部に乾燥剤を収容すると、水分の捕捉を効率よく行なうことができる等の利点があるが、乾燥剤充填工程が煩雑になる、充填作業時に発生した乾燥剤の塵埃により容器内部が汚染される等の難点もあった。
【先行技術文献】
【特許文献】
【０００３】
【特許文献１】実公昭３１−８０８７号公報
【特許文献２】実公昭４６−２７６７４号公報
【特許文献３】実公昭５３−３９１３４号公報
【特許文献４】特開２０００−７９９７３号公報
【特許文献５】特開２００２−２７４５７６号公報
【特許文献６】特開２００２−２７４５７７号公報
【特許文献７】特開２００２−２８４２４９号公報
【特許文献８】特開２００５−３４３５０２号公報
【特許文献９】特開２００５−３５０１１２号公報
【発明の概要】
【発明が解決しようとする課題】
【０００４】
本発明は、防湿効果に優れ、かつ、乾燥剤の塵埃による汚染が低減され、しかも廉価かつ簡易に製造することができる、防湿容器を提供することを目的とする。
【課題を解決するための手段】
【０００５】
本発明者らは鋭意検討した結果、容器本体内壁に設けられた環状突出部の傾斜面に防塵シートを接着して、容器底部に収容された乾燥剤を区画することにより上記課題を解決し得ることを見出し、本発明を完成した。
【０００６】
すなわち、本発明は、筒型の容器本体と、容器本体を密封し、開閉自在に嵌合する蓋と、容器本体に乾燥剤を収容する防湿容器であって、容器本体は、側壁内面に、斜め下方に向けて延出する傾斜面を有する環状突出部を備え、環状突出部の傾斜面に接着された透湿防塵シートにより、その開口側の収容室と、その底部側に存し、乾燥剤が収容される乾燥剤室とに仕切られている、防湿容器を提供する。
【０００７】
本発明の防湿容器は、乾燥室を区画する仕切り板を更に備えていてもよく、仕切り板の上端部と透湿防塵シートとは接触していてもよい。
【０００８】
透湿防塵シートの、傾斜面と接着している面と反対側の面には、乾燥剤室の内周に対応する位置にハーフカット線が形成されていてもよい。
【発明の効果】
【０００９】
本発明の防湿容器によれば、被収納物品を乾燥剤の塵埃で汚染することなく保存することができる。また、比重の重い水蒸気が滞留する容器底部に乾燥剤を収容しているので、効率よく湿気（水蒸気）の捕捉を行なうことができる。しかも、本発明の防湿容器は、廉価かつ簡易に製造することができる。
【図面の簡単な説明】
【００１０】
【図１】防湿容器の一例を示す断面図
【図２】図１に示した防湿容器の開蓋状態を示す上面図
【図３】図１に示した防湿容器の斜視図
【図４】図１に示した防湿容器の製造工程を示す図
【図５】図４に続く製造工程を示す図
【図６】図５に続く製造工程を示す図
【図７】防湿容器の他の一例を示す断面図
【図８】図７に示した防湿容器の開蓋状態を示す図
【発明を実施するための形態】
【００１１】
図１は、防湿容器の一例を示す断面図であり、図２は、図１に示した防湿容器の開蓋状態を示す上面図であり、図３は、図１に示した防湿容器の斜視図である。
【００１２】
容器本体１は、筒形であり、一端は底部１３によって封止され、他の一端は開口している。筒形としては、円筒、角筒（四角柱、六角柱など）を例示できる。蓋２は、内環２１と外環２２とにより容器本体１の開口側端部を挟みこんで、容器の開口を密栓でき、開閉自在である。蓋２は、ヒンジ５を介して容器本体１に接続されている。容器本体１と、ヒンジ５と、蓋２とは、樹脂を原料とし、一体として成形される樹脂一体成形体とすることができる。
【００１３】
容器本体１は、側壁内面に環状突出部１１を有する。環状突出部１１は、斜め下方（底部１３方向）に向けて延出する傾斜面１１ａを有する。傾斜面１１ａには透湿防塵シート３が接着されている。容器本体１は該透湿防塵シートによって乾燥剤室Ｄと収容室Ｒとに仕切られている。なお、透湿防塵シート３の接着には適宜な接着剤を用いてもよいが、本発明においては接着剤による汚染を防止するために、ヒートシールなどの透湿防塵シート３の溶融及び硬化を利用した方法を用いることが好ましい。
【００１４】
乾燥剤室Ｄの内径は、収容室Ｒの内径よりも小さい。傾斜面１１ａは乾燥剤室Ｄの内壁開口端と収容室Ｒの内壁とをつなぐ面（収容室Ｒの内壁に設置され、乾燥剤室Ｄに向かって内径が狭まるテーパー部）である。乾燥剤室Ｄには乾燥剤４が収容されている。透湿防塵シート３は、その周縁が環状突出部１１の傾斜面１１ａに接着（シール）され、固定されている。従って、乾燥剤室Ｒは透湿防塵シート３により封止されており、乾燥剤４や乾燥剤の塵埃が収容室Ｒに移動することが抑止されている。
【００１５】
容器本体１は、乾燥剤室Ｄの内部を区画する仕切り板１２を更に備えていることが好ましい。仕切り板１２は、例えば、容器本体１の底部１３に対して垂直又は略垂直に設置することができる。仕切り板１２を備えることにより、乾燥剤４が過度に移動することを予防することができる。乾燥剤４が過度に移動すると、摩擦や衝撃により乾燥剤の塵埃が発生する場合があるが、仕切り板１２を備えることにより塵埃の発生を低減できる。仕切り板１２は、乾燥剤４の動きを制限するが、乾燥剤４を固定するものではない。従って乾燥剤４は、防湿容器使用時の衝撃等により適度に移動することができる。つまり、水を補足した乾燥剤は、乾燥剤室Ｄ内部で収容室Ｒ側から底部側へと移動し、同時に、水をまだ補足していない底部側にあった乾燥剤が、収容室Ｒ側へと移動することができる。これにより、例えば、包装材で包装した乾燥剤を容器底部に配置した場合などに比して、乾燥剤４の乾燥能を満遍なく活用することができ、より効率的な乾燥を行なうことができる。
【００１６】
仕切り板１２は、上述の塵埃抑制効果に加えて、透湿防塵シート３の固定を補佐する機能を有する。防塵シート４と仕切り板１２の天面が接触していると、収容室Ｒに物品を収容した際に、物品の重みで防塵シートが下垂することを防止できる。特に、乾燥剤室Ｄ内部の高さと、仕切り板１２の高さが同一であれば、防塵シートを容器本体の底部と水平に保つことができ、好ましい。透湿防塵シート３と仕切り板１２の天面とはシールされていることが好ましい。両者がシールされていると、乾燥剤４が仕切り板１２をまたいで移動することを制限でき、塵埃の発生がさらに抑制される。
【００１７】
図２等には乾燥剤Ｄ内部を４つに区画する十字型の仕切り板１２を示したが、仕切り板１２の形や数はこれに制限されない。
【００１８】
環状突出部１１及び傾斜面１１ａの断面形状等は特に制限されず、容器本体１の形状や、収容室Ｒと乾燥剤室Ｄの内径の比、透湿防塵シート３のシール作業の便宜等を考慮して、適宜選択することができる。
【００１９】
透湿防塵シート３の上面（傾斜面１１ａと接着された面と反対側の面）には、ハーフカット線３１が形成されていてもよい。この場合、ハーフカット線は、環状突出物１１の傾斜面１１ａの内周部に対応する部分に形成される。すなわち、ハーフカット線３１は、透湿防塵シート３の、傾斜面１１ａへの接着のために折り曲げる部分に形成される。これにより、透湿防塵シート３の傾斜面１１ａへの接着時にしわが発生することを予防できる。
【００２０】
本発明の防湿容器は、防湿性を有する公知の樹脂を材料とすることができる。このような樹脂としては例えば、ポリエチレン、ポリプロピレン等を挙げることができるがこれらに制限されない。本発明の防湿容器は、通常、単層構造であるが、ガスバリア性等の機能を付与するために、機能層を積層した複層構造としてもよい。
【００２１】
透湿防塵シート３としては、透湿性及び防塵性を具備し、一定の強度を有するシートをいずれも使用することができる。具体的には、ポリエチレン、ポリプロピレン等の樹脂からなる、不織布、微多孔性フィルム、及び微多孔性シートを例示できる。このようなシートの市販の例としては、米国デュポン社製；『Ｔｙｖｅｋ（登録商標）』、積水化成品工業株式会社製；『セルポア』、徳山曹達株式会社製；『ＮＦシート』、日東電工株式会社製；『ニトフロン（登録商標）』を挙げることができる。
【００２２】
乾燥剤４としては、被収容物品を汚染侵食しない限りにおいて、公知乃至慣用の乾燥剤をいずれも使用することができ、特に制限されない。具体的には、例えば、酸化カルシウム、塩化カルシウム等の化学系乾燥剤や、酸化アルミニウム、ゼオライト、モレキュラーシーブ、シリカゲル等の物理系乾燥剤を挙げることができる。本発明においては、吸湿による乾燥剤の凝集や、摩擦等による塵埃の発生を回避する観点から、物理系乾燥剤を使用することが好ましい。これらの中で、温度変化に伴う乾燥効率の変化や、水の再放出をおこしにくいことから、モレキュラーシーブを使用する事が特に好ましい。
【００２３】
本発明の防湿容器は、例えば、容器本体１の底部１３側に設けられた乾燥剤室Ｄに、乾燥剤４を充填した後、容器本体１の形状及び大きさに合わせて裁断された透湿防塵シート３の周縁を環状突出部１１の傾斜面１１ａに接着することにより製造できる。
【００２４】
本発明の防湿容器の製造方法の一例を図４〜６を参照しつつ説明する。
【００２５】
図４は乾燥剤室Ｄに乾燥剤を、充填ノズル６を使用して充填する様子を示す断面図である。乾燥剤は、容器本体に挿入され、環状突出部１１に位置あわせされた充填ノズル６を通して、乾燥剤室Ｄに適量を充填される。充填完了後は充填ノズル６を撤去する。充填ノズル６を使用することにより、容器本体１の、収容室Ｒとなる部分の内面を乾燥剤及びその塵埃により汚染することなく、乾燥剤の充填を行なうことができる。
【００２６】
図５は、透湿防塵シート３を容器内部の環状突出部１１に搬送する様子を示す断面図であり、図６は、透湿防塵シート３をヒーターにより環状突出部１１にシールする様子を示す断面図である。透湿防塵シート３は、エアー吸引により保持力を発現する吸着アーム７により環状突出部１１まで搬送され、保持される。透湿防塵シート３は、吸着アーム７により保持された状態で、ヒーター８によりヒートシールされる。ヒーター８の外面は、環状突出部１１の傾斜面１１ａの形状に沿う形状であり、ヒートシールが円滑かつ確実に行なえる。乾燥剤４を充填した乾燥剤室Ｄは透湿防塵シート３により密閉され、透湿防塵シート３により乾燥剤室Ｄと収容室Ｒとが仕切られる。この際、乾燥剤室Ｄが仕切り板１２により区画されている場合には、透湿防塵シート３は、仕切り板１２の天面にもシールすることができる。
【００２７】
透湿防塵シート３のシールが完了した後は、蓋２で容器本体１開口を封止することにより収容室Ｒは乾燥状態に保たれる。
【００２８】
上述のように本発明の防湿容器は、簡易に製造することができる。また、製造工程及び使用時に収容室内部が乾燥剤の塵埃により汚染されることなく、優れた防湿効果を発現する。
【００２９】
図１〜６では、容器本体１と蓋２とが、ヒンジ５を介して接続したヒンジ容器を例示したが、容器本体１と蓋２とは別体であってもよい。この例を図７及び８に示す。
【００３０】
図７は、容器本体１と蓋２とが別体である容器を採用した本発明の防湿容器の一例を示す断面図である。図８（ａ）は図７に示す防湿容器の容器本体１の上面図であり、図８（ｂ）は図７に示す防湿容器の蓋２の内面側の平面図である。図７及び図８に示した例では、容器本体１と蓋２とは、互いに嵌合することにより内容物を密閉する構造を有するが、両者の係合構造は嵌合のみならず螺合であっても良い。また、図７及び８に示した容器本体１に対する乾燥剤の封入は、図４〜６と同様の工程によって行うことができる。
【産業上の利用可能性】
【００３１】
本発明の防湿容器は、湿気及び乾燥剤の塵埃により劣化しやすい物品を収容するための容器として広範に利用できる。例えば、血糖値検査や尿検査に使用するためのテストピースや、薬剤（錠剤等）を収容するための容器として好適に使用することができる。
【符号の説明】
【００３２】
１  容器本体
１１  環状突出部
１２  仕切り板
１３  底部
２  蓋
２１  内環
２２  外環
３  透湿防塵シート
４  乾燥剤
５  ヒンジ
６  充填ノズル
７  吸着アーム
８  ヒーター
Ｒ  収容室
Ｄ  乾燥剤室
【図１】
0005640565.tif 000002
【図２】
0005640565.tif 000003
【図３】
0005640565.tif 000004
【図４】
0005640565.tif 000005
【図５】
0005640565.tif 000006
【図６】
0005640565.tif 000007
【図７】
0005640565.tif 000008
【図８】
0005640565.tif 000009